(57)【要約】【課題】  ドアパネル内のスペースを有効に利用できるウインドレギュレータを提供することを課題とする。【解決手段】  ウインドガラス８１の前後方向の一方の側に設けられた第１ワイヤ固定部材１０１と、ウインドガラスの前後方向の他方の側に設けられた第２ワイヤ固定部材１１１と、フロントフレーム５３、リアフレーム５５では、同じ方向に移動するように、フロントフレーム５３、アッパフレーム１０３、リアフレーム５５に沿って配設され、第１ワイヤ固定部材１０１、第２ワイヤ固定部材１１１に接続されたワイヤ１３１、９５、９６と、フロントフレーム５３、リアフレーム５５のうちのどちらか一方のフレームのベルトラインＢＬより下側の部位に設けられ、ワイヤが巻回され、ワイヤを進退させるドラム手段２００とを設ける。【選択図】          図１
2005113441.tif 000002
【特許請求の範囲】
【請求項１】
ドアの前後方向の一方の側に設けられ、ウインドガラスの昇降方向に延び、前記ウインドガラスの表面、裏面に当接して、前記ウインドガラスを保持する２つのリップが一体的に形成されたガラスランが設けられた第１フレームと、
前記ドアの前後方向の他方の側に設けられ、前記ウインドガラスの昇降方向に延び、前記ウインドガラスの表面、裏面に当接して、前記ウインドガラスを保持する２つのリップが一体的に形成されたガラスランが設けられた第２フレームと、
前記第１フレームの上部と前記第２フレームの上部とを橋渡しするように設けられ、前記ウインドガラスの表面、裏面に当接して、前記ウインドガラスを保持する２つのリップが一体的に形成されたガラスランが設けられたアッパフレームと、
前記ウインドガラスの前後方向の一方の側に設けられた第１ワイヤ固定部材と、
前記ウインドガラスの前後方向の他方の側に設けられた第２ワイヤ固定部材と、
前記第１フレーム、前記第２フレームでは、同じ方向に移動するように、前記第１フレーム、前記アッパフレーム、前記第２フレームに沿って配設され、前記第１ワイヤ固定部材、前記第２ワイヤ固定部材に接続されたワイヤと、
前記第１フレーム、前記第２フレームのうちのどちらか一方のフレームのベルトラインより下側の部位に設けられ、前記ワイヤが巻回され、前記ワイヤを進退させるドラム手段と、
を有することを特徴とするウインドレギュレータ。
【請求項２】
前記ドラム手段は、前記フレームの下部に設けられたブラケットを介して設けられ、
該ブラケットには、
前記ドラム手段と一体的に設けられ、前記ドラム手段から繰り出されるワイヤと前記ドラムに巻回されるワイヤとを案内するワイヤガイドと、
該ワイヤガイドに設けられ、前記ウインドガラスが最下位置まで下降した際に当接するストッパとを設けたことを特徴とする請求項１記載のウインドレギュレータ。
【発明の詳細な説明】
【技術分野】
【０００１】
本発明は、車両に設けられるワイヤ式ウインドレギュレータに関する。
【背景技術】
【０００２】
（１）第１の従来例
図９を用いて説明する。図９は従来のウインドレギュレータを示す図である。図において、ウインドガラス１の前部には、ウインドガラス１の昇降方向に延びるガイドレール３が設けられている。ウインドガラス１の後部には、ウインドガラス１の昇降方向に延びるガイドレール５が設けられている。
【０００３】
ウインドガラス１の前部には、ガイドレール３に移動可能に係合するローラ７が、ウインドガラス１の後部にはガイドレール５に移動可能に係合するローラ９、ローラ１１が設けられている。
【０００４】
ドアパネル内には、ウインドガラス１の昇降方向に延びるガイドレール１３が設けられている。このガイドレール１３には、ウインドガラス１の下部中央に設けられたスライダ１５が移動可能に係合している。ガイドレール１３の上部にはプーリ１７が、ガイドレール１３の下部にはプーリ１９が設けられている。そして、ワイヤ２３の中間部がドラム２１に巻回され、一方の端部側がプーリ１７を介してスライダ１５に取り付けられ、他方の端部がプーリ１９を介してスライダ１５に取り付けられている。
【０００５】
従って、ドラム２１を回転させ、ワイヤ２３を進退させることで、ウインドガラス１が昇降する（例えば、特許文献１参照）。
（２）第２の従来例
図１０を用いて説明する。図１０は従来のウインドレギュレータを示す図である。
【０００６】
図において、ドアパネル内の上部にはプーリ３１、プーリ３３が設けられ、ドアパネル内の下部にはプーリ３５、プーリ３７がもうけられている。ワイヤ３９の中間部はプーリ３５、プーリ３１、プーリ３７、プーリ３３の順でＮ字形に掛け渡され、更に、ドラム４１に巻回されている。そして、ウインドガラス４３の下部が、図示しないブラケットを介してプーリ３１とプーリ３５との間のワイヤ、プーリ３３とプーリ３７との間のワイヤにそれぞれ取り付けられている。
【０００７】
従って、ドラム４１を回転させ、ワイヤ２３を進退させることで、ウインドガラス４３が昇降する（例えば、特許文献２参照）。
【特許文献１】特開平４−２７０９３号公報（第３頁、第１図）
【特許文献２】特開昭６３−６０３８３号公報（第４頁、第７図）
【発明の開示】
【発明が解決しようとする課題】
【０００８】
図９に示す構成のウインドレギュレータでは、ドアパネル内にガイドレール１３、ドラム２１、ワイヤ２３が設けられ、ドアパネル内のスペースを有効に使用できない問題点がある。
【０００９】
図１０に示す構成のウインドレギュレータでも、ドアパネル内全域にわたって、Ｎ字形に掛け渡されたワイヤ３９が配置されているので、ドアパネル内のスペースを有効に使用できない問題点がある。
【００１０】
本発明は、上記問題点に鑑みてなされたもので、その課題は、ドアパネル内のスペースを有効に利用できるウインドレギュレータを提供することにある。
【課題を解決するための手段】
【００１１】
上記課題を解決する請求項１に係る発明は、ドアの前後方向の一方の側に設けられ、ウインドガラスの昇降方向に延び、前記ウインドガラスの表面、裏面に当接して、前記ウインドガラスを保持する２つのリップが一体的に形成されたガラスランが設けられた第１フレームと、前記ドアの前後方向の他方の側に設けられ、前記ウインドガラスの昇降方向に延び、前記ウインドガラスの表面、裏面に当接して、前記ウインドガラスを保持する２つのリップが一体的に形成されたガラスランが設けられた第２フレームと、前記第１フレームの上部と前記第２フレームの上部とを橋渡しするように設けられ、前記ウインドガラスの表面、裏面に当接して、前記ウインドガラスを保持する２つのリップが一体的に形成されたガラスランが設けられたアッパフレームと、前記ウインドガラスの前後方向の一方の側に設けられた第１ワイヤ固定部材と、前記ウインドガラスの前後方向の他方の側に設けられた第２ワイヤ固定部材と、前記第１フレーム、前記第２フレームでは、同じ方向に移動するように、前記第１フレーム、前記アッパフレーム、前記第２フレームに沿って配設され、前記第１ワイヤ固定部材、前記第２ワイヤ固定部材に接続されたワイヤと、前記第１フレーム、前記第２フレームのうちのどちらか一方のフレームのベルトラインより下側の部位に設けられ、前記ワイヤが巻回され、前記ワイヤを進退させるドラム手段とを有することを特徴とするウインドレギュレータである。
前記ドラム手段を回転させ、前記ワイヤを進退させると、ウインドガラスが昇降する。
【００１２】
請求項２に係る発明は、前記ドラム手段は、前記フレームの下部に設けられたブラケットを介して設けられ、該ブラケットには、前記ドラム手段と一体的に設けられ、前記ドラム手段から繰り出されるワイヤと前記ドラム手段に巻回されるワイヤとを案内するワイヤガイドと、該ワイヤガイドに設けられ、前記ウインドガラスが最下位置まで下降した際に当接するストッパとを設けたことを特徴とする請求項１記載のウインドレギュレータである。
ドラム手段から繰り出されるワイヤ、ドラム手段に巻回されるワイヤはワイヤガイドに案内される。
【００１３】
ウインドガラスが最下位置まで下降するとストッパに当接し、ストッパに下方向の力が作用する。又、ウインドガラスがストッパに当接すると、反力としてドラム手段にワイヤの引張力、即ち、上方向の力が作用する。
【発明の効果】
【００１４】
請求項１に係る発明によれば、ウインドガラスを昇降させるために機能する構成、すなわち、ワイヤは第１フレーム、アッパフレーム、第２フレームに沿って配設される。また、ドラム手段は、前記第１フレーム、前記第２フレームのうちのどちらか一方のフレームのベルトラインより下側の部位に設けられる。従って、ドアパネル内を有効に利用できる。
【００１５】
請求項２に係る発明によれば、ウインドガラスが最下位置まで下降するとストッパに当接し、ストッパに下方向の力が作用する。又、ウインドガラスがストッパに当接すると、反力としてドラム手段にはワイヤの引張力、即ち、上方向の力が作用する。一方、ストッパが設けられるワイヤガイドはドラム手段と一体的に設けられているので、ストッパに作用する力と、ドラム手段に作用する力とが、ストッパ、ワイヤガイド、ドラム手段間で、力が釣り合い、ブラケットやフレームには力が伝達されない。従って、ブラケットやフレームの補強が不要となる。
【発明を実施するための最良の形態】
【００１６】
以下、図面を用いて本発明を実施するための最良の形態を説明する。図１は本発明の実施の形態例のウインドレギュレータの構成図、図２は図１の切断線Ａ−Ａでの断面図、図３は図１の切断線Ｂ−Ｂでの断面図、図４は図１の切断線Ｃ−Ｃでの断面図、図５は図１の切断線Ｄ−Ｄでの断面図、図６は図１の切断線Ｅ−Ｅでの断面図である。
【００１７】
図１において、ＢＬはドアのベルトラインを示している。ドアの前側には、ウインドガラス５１の昇降方向に延びる第１フレームとしてのフロントフレーム５３が設けられている。ドアの後側には、ウインドガラス５１の昇降方向に延びる第２フレームとしてのリアフレーム５５が設けられている。フロントフレーム５３の上部とリアフレーム５５の上部とは、アッパフレーム１０３で橋渡しされている。
【００１８】
図２〜図６に示すように、フロントフレーム５３、リアフレーム５５、アッパフレーム１０３の断面形状は、異なるが、いずれも外部に露出する意匠部６１、閉断面形状の袋部６３、断面が略コ字形のガラスラン７１が設けられるガラスラン取付部６５を有している。フロントフレーム５３、リアフレーム５５、アッパフレーム１０３のガラスラン取付部６５に取付けられるガラスラン７１は、ウインドガラス８１の表面に当接するリップ７３と、ウインドガラス８１の裏面に当接するリップ７５とが一体的に形成されている。
【００１９】
ウインドガラス８１の前側の下部には、第１ワイヤ固定部材１０１が、ウインドガラス８１の後側上部には、第２ワイヤ固定部材１１１がそれぞれ取付けられている。
【００２０】
ベルトラインＢＬより下のフロントフレーム５３、本形態例では、フロントフレーム５３の下部には、モータ９１とモータ９１によって回転駆動されるドラム９３とからなるドラム手段２００が設けられている。ここで、図１のＦ部分の拡大分解斜視図である図７を用いて説明する。フロントフレーム５３の下部には、ブラケット２０１が取付けられている。ブラケット２０１に形成されたモータ取付け穴２０３にモータ９１に設けられたねじ２０５が係合し、図示しないナットでモータ９１はブラケット２０１に取付けられる。モータ９１の出力軸２０７の回りは、上面が開放面となり、円筒面が一部切りかかれた略円筒状のドラムハウジング９１ａが形成されている。ドラムハウジング９１ａ内には、出力軸２０７に嵌合するドラム９１が配置され、ドラムハウジング９１ａの開放面は、モータカバー２０９で塞がれている。更に、ドラムハウジング９１ａの切りかかれた円筒面を塞ぐようにワイヤガイド２１１が設けられ、ワイヤガイド２１１はドラム手段２００と一体化されている。このワイヤガイド２１１は、その取付け穴２１１ａとブラケット２０１のワイヤガイド取付け穴２１３とを挿通する図示しないボルト及びこのボルトに螺合するナットで、ブラケット２０１に取付けられている。
【００２１】
図１に戻って、ドラム９３には、２本のワイヤ９５、ワイヤ９６が巻回されている。更に、ドラム９３を一方の方向に回転させると、ワイヤ９５は繰り出され、ワイヤ９６は巻き取られるようにワイヤ９５、ワイヤ９６は巻回されている。
【００２２】
ワイヤ９５の先端部側はワイヤガイド２１１を介してフロントフレーム５３に沿って上方に延び、第１ワイヤ固定部材１０１に接続されている。又、ワイヤ９６の先端部側はワイヤガイド２１１を介してフロントフレーム５３のガラスラン７１内に入り、アッパフレーム１０３のガラスラン７１、リアフレーム５５のガラスラン７１内を通り、第２ワイヤ固定部材１１１に接続されている。
【００２３】
又、第１ワイヤ固定部材１０１には、ワイヤ１３１が接続され、このワイヤ１３１は、フロントフレーム５３の上部に設けられたプーリ９７を介してリアフレーム５５方向に延び、ガイド９９を介してリアフレーム５５のガラスラン７１内に入り、第２ワイヤ固定部材１１１に接続されている。
【００２４】
次に、図８を用いてワイヤガイド２１１の説明を行う。図８（ａ）はワイヤガイドの平面図、（ｂ）は（ａ）図の切断線Ｇ−Ｇでの断面図である。ワイヤガイド２１１には、ワイヤ９５を第１ワイヤ固定部材１０１方向に案内するガイド溝２１５と、ワイヤ９６をフロントフレーム５３のガラスラン７１方向に案内するガイド溝２１７とが形成されている。又、ワイヤガイド２１１のウインドガラス８１の下縁と対向する部分には、矩形の穴２２１が形成され、この穴２２１にウインドガラス８１が最下位置まで下降した際に当接する弾性材でなるストッパ２２３が設けられている。
【００２５】
次に上記構成の作動を説明する。ウインドガラス８１が全閉状態である図１において、モータ９１を用いてドラム８３を矢印方向に回転させると、ワイヤ９５がドラム９３に巻回され、ワイヤ９６がドラム９３から繰り出される。従って、第１ワイヤ固定部材１０１、第２ワイヤ固定部材１１１は下降し、ウインドガラス８１も下降する。
【００２６】
又、ウインドガラス８１が開状態の場合、モータ９１を用いてドラム９３を矢印方向と反対方向に回転させると、ワイヤ９５がドラム９３から繰り出され、ワイヤ９６がドラム９３に巻回される。この場合、第１ワイヤ固定部材１０１、第２ワイヤ固定部材１１１が上昇し、ウインドガラス８１も上昇する。
【００２７】
このような構成のウインドレギュレータにおいては、以下のような効果を得ることができる。
（１）ウインドガラス８１を昇降させるために機能する構成、すなわち、ワイヤ９５、ワイヤ９６、第１ワイヤ固定部材１０１、第２ワイヤ固定部材１１１は、フロントフレーム５３、アッパフレーム１０３、リアフレーム５５に沿って設けられ、ドアフレーム内にはワイヤ１３１しかないので、ドアパネル内を有効に利用できる。
（２）ウインドガラス８１が最下位置まで下降するとストッパ２１３に当接し、ストッパ２１３に下方向の力が作用する。又、ウインドガラス８１がストッパ２１３に当接すると、反力としてドラム９１にはワイヤ９５の引張力、即ち、上方向の力が作用する。一方、ストッパ２１３が設けられるワイヤガイド２１１はドラム手段２００と一体的に設けられているので、ストッパ２１３に作用する力と、ドラム手段２００に作用する力とが、ストッパ２１３、ワイヤガイド２１１、ドラム手段２００間で、力が釣り合い、ブラケット２０１やフロントフレーム５３には力が伝達されない。従って、ブラケット２０１やフロントフレーム５３の補強が不要となる。
【００２８】
尚、本発明は、上記形態例に限定するものではない。上記形態例では、ドラム手段２００をフロントフレーム５３の下部に設けたが、リアフレーム５５の下部に設けてもよい。
【図面の簡単な説明】
【００２９】
【図１】本発明の実施の形態例のウインドレギュレータの構成図である。
【図２】図１の切断線Ａ−Ａでの断面図である。
【図３】図１の切断線Ｂ−Ｂでの断面図である。
【図４】図１の切断線Ｃ−Ｃでの断面図である。
【図５】図１の切断線Ｄ−Ｄでの断面図である。
【図６】図１の切断線Ｅ−Ｅでの断面図である。
【図７】図１のＦ部分の拡大分解斜視図である。
【図８】図７のワイヤガイドを説明する図である。
【図９】第１の従来例を説明する図である。
【図１０】第２の従来例を説明する図である。
【符号の説明】
【００３０】
５３  フロントフレーム（第１フレーム）
５５  リアフレーム（第２フレーム）
７１  ガラスラン
９５、９６、１３１  ワイヤ
１０１  第１ワイヤ固定部材
１０３  アッパフレーム
１１１  第１ワイヤ固定部材
２００  ドラム手段
【図１】
2005113441.tif 000003
【図２】
2005113441.tif 000004
【図３】
2005113441.tif 000005
【図４】
2005113441.tif 000006
【図５】
2005113441.tif 000007
【図６】
2005113441.tif 000008
【図７】
2005113441.tif 000009
【図８】
2005113441.tif 000010
【図９】
2005113441.tif 000011
【図１０】
2005113441.tif 000012